(57)【要約】      （修正有）【課題】溶接部分を無くすことにより、腐食を未然に防止し、さらに食材焼成時に食材の汁等が付着し難くした食材焼成装置の電気ヒータ支持構造を提供する。【解決手段】一本の電熱線を平面視で蛇行状に屈曲して、互いに平行する複数の直線部１１ａと、これらの隣り合う直線部１１ａの端部間を繋ぐ複数の湾曲部１１ｂからなる電気ヒータＨの湾曲部１１ｂを、食材焼成台の開口部の下方の前後部に設けた複数の支持棒５に支持したものとしている。【選択図】図２
0003190420.tif 000002
【実用新案登録請求の範囲】
【請求項１】
一本の電熱線を平面視で蛇行状に屈曲して、互いに平行する複数の直線部（１１ａ）と、これらの隣り合う直線部（１１ａ）の端部間を繋ぐ複数の湾曲部（１１ｂ）からなる電気ヒータ（Ｈ）の前記湾曲部（１１ｂ）を、食材焼成台（１）の開口部（３）の下方の前後部に設けた複数の支持棒（５）に支持したことを特徴とする食材焼成装置の電気ヒータ支持構造。
【請求項２】
前記支持棒（５）は、前記食材焼成台（１）の開口部（３）の下方の前後部に複数並設した耐火ブロックからなる支持台（６）にそれぞれ固定したものとしていることを特徴とする請求項１記載の食材焼成装置の電気ヒータ支持構造。
【請求項３】
前記支持棒（５）は、前記電気ヒータ（Ｈ）の湾曲部（１１ｂ）を支持する水平部（５ｂ）を有し、電気ヒータ（Ｈ）の湾曲部（１１ｂ）を外れないようにする垂直部（５ｃ）を有したものとし、さらに支持台（６）に嵌まり込むようにした水平部（５ｄ）を有し、支持台（６）に挿入するようにした垂直部（５ｅ）を有したものとしていることを特徴とする請求項２記載の食材焼成装置の電気ヒータ支持構造。
【請求項４】
前記支持棒（５）は、前記電気ヒータ（Ｈ）の湾曲部（１１ｂ）を支持する水平部（５ｂ）と、前記支持台６に嵌まり込むようにした水平部（５ｄ）を一直線状にしたものとしていることを特徴とする請求項３記載の食材焼成装置の電気ヒータ支持構造。
【請求項５】
前記支持棒（５）は、前記支持台（６）に当接するようにした略中央の垂直部（５ａ）の下端から前方に電気ヒータ（Ｈ）の湾曲部（１１ｂ）を支持する水平部（５ｂ）を有し、この水平部（５ｂ）の先端から上方に電気ヒータ（Ｈ）の湾曲部（１１ｂ）を外れないようにする垂直部（５ｃ）を有したものとし、さらに前記垂直部（５ａ）の上端から後方に支持台（６）に嵌まり込むようにした水平部（５ｄ）を有し、この水平部（５ｄ）の後端から下方に支持台（６）に挿入するようにした垂直部（５ｅ）を有したものとしていることを特徴とする請求項２記載の食材焼成装置の電気ヒータ支持構造。
【請求項６】
前記支持棒（５）は、垂直部（５ｃ）の上端を尖らせたものとしていることを特徴とする請求項３〜５の何れかに記載の食材焼成装置の電気ヒータ支持構造。
【請求項７】
前記支持棒（５）は、垂直部（５ｃ）の上端から後方に水平部（５ｆ）を有したものとしていることを特徴とする請求項３〜５の何れかに記載の食材焼成装置の電気ヒータ支持構造。
【請求項８】
前記支持棒（５）の水平部（５ｂ）は、断面を三角山形状にしたものとしていることを特徴とする請求項３〜７の何れかに記載の食材焼成装置の電気ヒータ支持構造。
【考案の詳細な説明】
【技術分野】
【０００１】
この考案は、鳥獣肉や魚介類、野菜類などの食材を、これらの下方から焼くようにした食材焼成装置の電気ヒータ支持構造に関するものである。
【背景技術】
【０００２】
従来、この種の食材焼成装置の電気ヒータＨとしては、例えば図１１や図１２に示したようなものが存在する。これら従来の電気ヒータＨは、一本の電熱線を平面視で蛇行状に屈曲して、互いに平行する複数の直線部２１ａと、これらの隣り合う直線部２１ａの端部間を繋ぐ複数の湾曲部２１ｂからなり、これらの湾曲部２１ｂにそれぞれ突設した金属製の支持部２１ｃを、食材焼成台２２の開口部２３の下方の前後部に支持することにより、この食材焼成台２２に支持していた（特許文献１、２）。
【０００３】
前記従来の電気ヒータの食材焼成装置への支持構造をより詳細に説明すると、図１３に示したように、食材焼成台２２の開口部２３の下方の前後部に複数並設したセラミックス等の耐火ブロックからなる支持台２４の上下支持台２４ａ、２４ｂの間に、前記電熱線の湾曲部１１ｂにそれぞれ突設した支持部２１ｃを挟み込んで移動しないようにし、食材焼成台２２の開口部２３の下方の前後部に電気ヒータＨの電熱線全体が確りと支持されるようにしていた。
【先行技術文献】
【特許文献】
【０００４】
【特許文献１】特開２００６ー２６６６５４号公報
【特許文献２】特開２００８ー９３０４９号公報
【考案の概要】
【考案が解決しようとする課題】
【０００５】
しかしながら、上記従来の食材焼成装置の電気ヒータ支持構造では、電熱線の湾曲部２１ｂに支持部２１ｃを突設するには溶接によっていたが、複数の湾曲部２１ｂの全てに溶接するのが面倒であったり、また使用期間が経過するにしたがい、その溶接部分が腐食してしまうので、耐久性に劣り、耐用年数が短いという課題を有していた。
【０００６】
さらに、前記電熱線の湾曲部２１ｂに突設した支持部２１ｃは、前記上下支持台２４ａ、２４ｂの間に挟み込みやすくするために平坦な形状にしているので、食材焼成時に食材の汁等がその平坦部に滴り落ちて、付着したままの状態となり、汚れ易いものとなっていたり、前記溶接部分の腐食をより助長してしまうという課題を有していた。
【０００７】
そこで、この考案は、上記従来の食材焼成装置の電気ヒータ支持構造が有する課題を解決することを目的としており、溶接部分を無くすことにより、腐食を未然に防止し、さらに食材焼成時に食材の汁等が付着し難くした食材焼成装置の電気ヒータ支持構造を提供することを目的としてなされたものである。
【課題を解決するための手段】
【０００８】
そのため、この考案の食材焼成装置の電気ヒータ支持構造は、一本の電熱線を平面視で蛇行状に屈曲して、互いに平行する複数の直線部１１ａと、これらの隣り合う直線部１１ａの端部間を繋ぐ複数の湾曲部１１ｂからなる電気ヒータＨの前記湾曲部１１ｂを、食材焼成台１の開口部３の下方の前後部に設けた複数の支持棒５に支持したものとしている。
【０００９】
この考案の食材焼成装置の電気ヒータ支持構造において、前記支持棒５は、前記食材焼成台１の開口部３の下方の前後部に複数並設した耐火ブロックからなる支持台６にそれぞれ固定したものとしている。
【００１０】
この考案の食材焼成装置の電気ヒータ支持構造において、前記支持棒５は、前記電気ヒータＨの湾曲部１１ｂを支持する水平部５ｂを有し、電気ヒータＨの湾曲部１１ｂを外れないようにする垂直部５ｃを有したものとし、さらに支持台６に嵌まり込むようにした水平部５ｄを有し、支持台６に挿入するようにした垂直部５ｅを有したものとしている。
【００１１】
この考案の食材焼成装置の電気ヒータ支持構造において、前記支持棒５は、前記電気ヒータＨの湾曲部１１ｂを支持する水平部５ｂと、前記支持台６に嵌まり込むようにした水平部５ｄを一直線状にしたものとすることができる。
【００１２】
この考案の食材焼成装置の電気ヒータ支持構造において、前記支持棒５は、前記支持台６に当接するようにした略中央の垂直部５ａの下端から前方に電気ヒータＨの湾曲部１１ｂを支持する水平部５ｂを有し、この水平部５ｂの先端から上方に電気ヒータＨの湾曲部１１ｂを外れないようにする垂直部５ｃを有したものとし、さらに前記垂直部５ａの上端から後方に支持台６に嵌まり込むようにした水平部５ｄを有し、この水平部５ｄの後端から下方に支持台６に挿入するようにした垂直部５ｅを有したものとしている。
【００１３】
この考案の食材焼成装置の電気ヒータ支持構造において、前記支持棒５は、垂直部５ｃの上端を尖らせたものとすることができる。
【００１４】
この考案の食材焼成装置の電気ヒータ支持構造において、前記支持棒５は、垂直部５ｃの上端から後方に水平部５ｆを有したものとすることができる。
【００１５】
この考案の食材焼成装置の電気ヒータ支持構造において、前記支持棒５の水平部５ｂは、断面を三角山形状にしたものとすることができる。
【考案の効果】
【００１６】
この考案の食材焼成装置の電気ヒータ支持構造は、以上に述べたように構成されており、溶接部分を無くすことにより、腐食を未然に防止しているため、耐久性に優れ、耐用年数が長くなるという効果を有する。
【００１７】
さらに、この考案の食材焼成装置の電気ヒータ支持構造は、食材焼成時に食材の汁等が付着し難く、汚れ難いものとなるという効果を有する。
【図面の簡単な説明】
【００１８】
【図１】この考案の電気ヒータ支持構造を備えた食材焼成装置の斜視図である。
【図２】この考案の電気ヒータ支持構造の第一実施形態を示す分解斜視図である。
【図３】図２に示す電気ヒータ支持構造の要部を示す側面図である。
【図４】図２に示す電気ヒータ支持構造の要部を示す斜視図である。
【図５】図２に示す電気ヒータ支持構造の要部を示す分解斜視図である。
【図６】この考案の電気ヒータ支持構造の第二実施形態の要部を示す分解斜視図である。
【図７】この考案の電気ヒータ支持構造の第三実施形態の要部を示す分解斜視図である。
【図８】この考案の電気ヒータ支持構造の第四実施形態の要部を示す分解斜視図である。
【図９】この考案の電気ヒータ支持構造の上下支持台の他の例を示す斜視図である。
【図１０】この考案の電気ヒータ支持構造の上下支持台のさらに他の例を示す斜視図である。
【図１１】従来の電気ヒータ支持構造を備えた食材焼成装置の一例の平面図である。
【図１２】従来の電気ヒータ支持構造を備えた食材焼成装置の他例の一部切欠平面図である。
【図１３】従来の電気ヒータ支持構造の分解斜視図である。
【考案を実施するための形態】
【００１９】
以下、この考案の食材焼成装置の電気ヒータ支持構造を実施するための形態を、図面に基づいて詳細に説明する。
【００２０】
この考案の電気ヒータ支持構造を実施する食材焼成装置は、図１に示したように、食材焼成台１の天板２に適宜の大きさとした長方形の開口部３を設け、この開口部３の両側方に天板２にネジ止めした鉄灸受け４を備えたものとし、前記開口部３の上方に鉄灸（図示せず）を配置したものとし（鉄灸受け４を備えたものとしないで、開口部３の上方に焼網等をそのまま配置する場合もある）、電気ヒータＨを前記開口部３の下方に備えたものとしている。
【００２１】
前記電気ヒータＨは、図２に示したように、一本の電熱線を平面視で蛇行状に屈曲して、互いに平行する複数の直線部１１ａと、これらの隣り合う直線部１１ａの端部間を繋ぐ複数の湾曲部１１ｂからなるものとしている。なお、前記電気ヒータＨの電熱線の両端は、図示していないが、外部電力に電気接続されている。
【００２２】
そして、前記電気ヒータＨの湾曲部１１ｂを、前記食材焼成台１の開口部３の下方の前後部に設けた複数の支持棒５に支持したものとしている。これら支持棒５は、前記食材焼成台１の開口部３の下方の前後部に複数並設したセラミックス等の耐火ブロックからなる支持台６にそれぞれ固定したものとしている。
【００２３】
前記支持棒５は、図５に示したように、支持台６に当接するようにした略中央の垂直部５ａの下端から前方に電気ヒータＨの湾曲部１１ｂを支持する水平部５ｂを有し、この水平部５ｂの先端から上方に電気ヒータＨの湾曲部１１ｂを外れないようにする垂直部５ｃを有したものとし、さらに前記垂直部５ａの上端から後方に支持台６に嵌まり込むようにした水平部５ｄを有し、この水平部５ｄの後端から下方に支持台６に挿入するようにした垂直部５ｅを有したものとしている。
【００２４】
さらに、前記支持棒５は、図６に示したように、前記図５に示した垂直部５ｃの上端を尖らせたものとすることができる。このようにすると、前記支持棒５の垂直部５ｃに、食材焼成時における食材の汁等が付着し難くなる。
【００２５】
また、前記支持棒５は、図７に示したように、前記図５に示した垂直部５ｃの上端から後方に水平部５ｆを有したものとすることができる。このようにすると、前記支持棒５の水平部５ｂに前記電気ヒータＨの電熱線の湾曲部１１ｂを支持したときに、この湾曲部１１ｂが水平部５ｂからさらに外れにくくなる。
【００２６】
なお、前記支持棒５は、電気ヒータＨとの取り合わせの関係で、図８に示したように、前記略中央の垂直部５ａを有することなく、前記電気ヒータＨの湾曲部１１ｂを支持する水平部５ｂと、前記支持台６に嵌まり込むようにした水平部５ｄを一直線状にし、水平部５ｂの先端から上方に電気ヒータＨの湾曲部１１ｂを外れないようにする垂直部５ｃを有したものとし、水平部５ｄの後端から下方に支持台６に挿入するようにした垂直部５ｅを有したものとしてもよい。
【００２７】
そして、前記支持棒５の水平部５ｂは、図示したものでは、断面を丸（○）形状にしているが、必要に応じて断面を三角山（△）形状にすることもできる。このようにすると、前記支持棒５の水平部５ｂに、食材焼成時における食材の汁等が付着し難くなる。
【００２８】
前記支持台６は、上支持台６ａと下支持台６ｂからなり、前記支持棒５の垂直部５ａから後方部を、これら上支持台６ａと下支持台６ｂの間に固定しておくものとしている。
【００２９】
前記上支持台６ａは、図５、８に示したように、下支持台６ｂの上面の凸部７ａが嵌まり込む凹部７ｂを下面に設けたものとしたり、図６、７に示したように、支持棒５の水平部５ｄの上半分が嵌まり込む凹部８ａを下面に設けたものとしている。
【００３０】
さらに、前記上支持台６ａは、図９に示したように、下支持台６ｂの上面の凹部９ａに嵌まり込む凸部９ｂの下面に、支持棒５の水平部５ｄの上半分が嵌まり込む凹部９ｃを設けたものとしている。
【００３１】
また、前記上支持台６ａは、図１０に示したように、下支持台６ｂの挿入孔１０ａに挿入する挿入部１０ｂの下面に、支持棒５の水平部５ｄの上半分が嵌まり込む凹部１０ｃを設けたものとしている。
【００３２】
前記下支持台６ｂは、図５、８に示したように、前記凸部７ａの上面に支持棒５の水平部５ｄの下半分が嵌まり込む凹部７ｃを設け、この凹部７ｃの後端に支持棒５の垂直部５ｅの挿入穴（図示せず）を設けたものとしている。
【００３３】
さらに、前記下支持台６ｂは、図６に示したように、支持棒５の水平部５ｄの下半分が嵌まり込む凹部８ｂを上面に設け、この凹部８ｂの後端に支持棒５の垂直部５ｅの挿入穴８ｃを設けたものとしている。
【００３４】
また、前記下支持台６ｂは、図７に示したように、上支持台６ａが嵌まり込む凹部８ｄの上面に、支持棒５の水平部５ｄの下半分が嵌まり込む凹部８ｅを設け、この凹部８ｅの後端に支持棒５の垂直部５ｅの挿入穴８ｆを設けたものとしている。
【００３５】
さらに、前記下支持台６ｂは、図９に示したように、前記凹部９ａの上面に支持棒５の水平部５ｄの下半分が嵌まり込む凹部９ｄを設け、この凹部９ｄの後端に支持棒５の垂直部５ｅの挿入穴９ｅを設けたものとしている。
【００３６】
また、前記下支持台６ｂは、図１０に示したように、前記挿入孔１０ａの上面に支持棒５の水平部５ｄの下半分が嵌まり込む凹部１０ｄを設け、この凹部１０ｄの後端に支持棒５の垂直部５ｅの挿入穴１０ｅを設けたものとしている。なお、前記挿入孔１０ａは、上方に切欠き溝１０ｆを設けて、この切欠き溝１０ｆに、上支持台６ａの挿入部１０ｂの上面に設けた嵌合部１０ｅが嵌まり込むようにしているが、これら切欠き溝１０ｆや嵌合部１０ｅを設けないものとしてもよい。
【００３７】
そして、前記支持台６の上下支持台６ａ、６ｂの複数並設したもののうち、両端に配設される上下支持台６ａ、６ｂには、これら複数並設した上下支持台６ａ、６ｂの保持枠Ｆ（図２参照）を固定しておくための割りピンＰ（図３参照）の貫通孔（図示せず）を設けたものとしている。なお、前記支持台６の上下支持台６ａ、６ｂを保持枠Ｆで保持する場合には、電気ヒータＨの複数の直線部１１ａ間の間隔に応じて、図２に示したように、複数並設した上下支持台６ａ、６ｂのそれぞれの間に間隔調整部材Ｓを設けたものとしてもよい。
【００３８】
以上のように構成されたこの考案の食材焼成装置の電気ヒータ支持構造は、溶接部分を無くしたので、腐食を未然に防止することができ、耐久性に優れたものなり、耐用年数が長くなるという効果を有する。
【００３９】
さらに、この考案の食材焼成装置の電気ヒータ支持構造は、食材焼成台１の支持台６に固定した支持棒５により電気ヒータＨの湾曲部１１ｂを支持しており、この支持棒５は平坦な形状にすることなく、断面を丸形状にしたり、三角山形状にすることができるので、食材焼成時の食材の汁等が付着し難く、汚れ難いものとなるという効果を有する。
【００４０】
また、この考案の食材焼成装置の電気ヒータ支持構造は、電気ヒータＨの湾曲部１１ｂを支持する支持棒５が、食材焼成台１の開口部３の下方の支持台６に確りと固定されているので、電気ヒータＨの湾曲部１１ｂも安定した状態でこの支持棒５に支持されるという効果を有する。
【符号の説明】
【００４１】
１  食材焼成台
３  開口部
５  支持棒
５ａ  垂直部
５ｂ  水平部
５ｃ  垂直部
５ｄ  水平部
５ｅ  垂直部
５ｆ  水平部
６  支持台
１１ａ  直線部
１１ｂ  湾曲部
Ｈ  電気ヒ−タ
【図１】
0003190420.tif 000003
【図２】
0003190420.tif 000004
【図３】
0003190420.tif 000005
【図４】
0003190420.tif 000006
【図５】
0003190420.tif 000007
【図６】
0003190420.tif 000008
【図７】
0003190420.tif 000009
【図８】
0003190420.tif 000010
【図９】
0003190420.tif 000011
【図１０】
0003190420.tif 000012
【図１１】
0003190420.tif 000013
【図１２】
0003190420.tif 000014
【図１３】
0003190420.tif 000015